(57)【要約】【課題】ローラースケートや自転車などに乗って、推進力を増幅してくれる身体装着型の噴射推進パワースーツを提供することを目的としている。【解決手段】スーツ前に設けられた抱持原動機ブロア１の吹出口１０に背負型後方噴射推進倍増装置２が通路連結されており、該背負型後方噴射推進倍増装置がH字形状のはしご形をしており、２本の縦太パイプ２１とこれを繋ぐ横細パイプ２２とにより構成されている。また、２本の縦太パイプには噴射孔２７・２８と翼３が設けられ、噴射孔から出た流れが翼３により後方に変向するようになされてなる構成。【選択図】図１
2011225137.tif 000002
【特許請求の範囲】
【請求項１】
スーツの前に設けられた抱持原動機ブロア１の吹出口１０に、接合離脱可能に、スーツの後ろに設けられた背負型後方噴射推進倍増装置２が設けられていることを特徴とする身体装着型噴射推進パワースーツ
【請求項２】
上記背負型後方噴射推進倍増装置が、はしご型となされ、縦パイプと横パイプにより構成されこれに翼３が設けれられて成ることを特徴とする請求項１に記載の身体装着型噴射推進倍増パワースーツ
【請求項３】
上記背負型後方噴射推進倍増装置が、Hの字はしご型となされ、２本の縦太メインパイプとこれを繋ぐ横細ブリッジパイプから成り、縦太パイプには噴射孔２７・２８と翼３が設けられてなることを特徴とする請求項１に記載の身体装着型噴射推進パワースーツ
【請求項４】
上記背負型後方噴射推進倍増装置が、Vの字はしご型となされ、２本の縦太メインパイプとこれを繋ぐ横細ブリッジパイプから成り、縦太パイプには噴射孔２７・２８と翼３が設けられてなることを特徴とする請求項１に記載の身体装着型噴射推進パワースーツ
【請求項５】
上記背負型後方噴射推進倍増装置が、Cの字型となされ、２本の縦太メインパイプとこれを繋ぐ横細ブリッジパイプから成り、翼３が設けられていることを特徴とする請求項１に記載の身体装着型後方噴射推進パワースーツ
【請求項６】
上記背負型後方噴射推進倍増装置が、∞の字型となされ、これに翼３が設けられてなることを特徴とする請求項１に記載の身体装着型噴射推進パワースーツ
【請求項７】
上記背負型後方噴射推進倍増装置が、リングホース翼３形状となされ、これにぺちゃんこホース翼２９が設けられて成ることを特徴とする請求項１に記載の身体装着型噴射推進パワースーツ
【請求項８】
上記背負型後方噴射推進倍増装置が、半球ボール型となされ、これにリング翼３が設けられて成ることを特徴とする請求項１に記載の身体装着噴射推進パワースーツ
【請求項９】
上記背負型後方噴射推進倍増装置に、ヘルメット９が前方に向かって結合されて成ることを特徴とする請求項１乃至７に記載の身体装着噴射推進パワースーツ
【発明の詳細な説明】
【技術分野】
【０００１】
本発明は、人が身体に装着して、高効率噴射により前進移動を補助する、身体装着型噴射推進パワースーツに関している。
本発明は、単に杖がわりに高齢者の歩行運動を助けて移動を補助する人体装着型の噴射推進パワースーツであっても良く、ローラースケートを履いて走行移動する為に手軽に着られる人体装着型の噴射推進パワースーツであっても良く、また、自転車や足こぎボートに乗って自転車漕ぎしながら走行移動を補助する人体装着型噴射推進パワースーツであっても良い。更に、長距離のウオーキングやランニングを補助するスポーツ向け手段としての人体装着噴射推進パワースーツであっても良い。また、スキーやスケートを履いて走行やジャンプする際の補助手段としての身体装着噴射推進パワースーツであっても良く、パラグライダーでの飛行移動を補助するための身体装着型噴射推進パワースーツであっても良い。
【背景技術】
【０００２】
パラグライダー用に人間が背中にしょって、エンジンプロペラで推進飛行するパラモーター扇風機乗り物が知られている。また、プロペラ推進のハンググライダー型軽飛行機がスカイスポーツ乗り物として知られている。
また、堀内浩太郎氏設計の水上プロペラ船、雪上プロペラスキーなどが知られている。（「あるボートデザイナーの軌跡」舵社発行１９８７年）
【０００３】
しかし、プロペラは危険であって、手軽に且つ安全に人体に装着して推進力を得られる人体装着型噴射推進パワースーツは存在しなかった。
【先行技術文献】
【特許文献】
【０００４】
【特許文献１】特開２００９−６２９８６号
【特許文献２】特開２００９−６２９８７号
【発明の概要】
【発明が解決しようとする課題】
【０００５】
自転車や乗り物にプロペラをつけこれにより推進するものでは転倒の際にプロペラ破損の危険が大きく、乗り手の死傷の虞すらある。
また、モータパラグライダーのように扇風機を背中にしょって走り、助走して飛行するものでは、髪やマフラーなどがプロペラの羽根に巻きつく虞があり、危険であった。
【０００６】
本発明は、このような従来の問題を解決しようとするもので、手軽に且つ安全に着られる身体装着型噴射推進パワースーツを提供し、これを着てローラースケートやスケボーや自転車や足こぎボートやパラセールに乗り、スピードアップすることを目的とするものである。
【課題を解決するための手段】
【０００７】
本発明は、従来のプロペラ推進方式の問題点を解消し、圧力噴射できる原動機ブロアを抱き持ちし、噴射推進倍増装置を背中にしょって、前後の重量バランスよく身体に装着することで姿勢がよくなり、安心走行が出来る構成にしたものである。
【０００８】
本願請求項1番目の発明によれば、スーツ前に設けられた抱持原動機ブロア１の吹出口１５にスーツ後ろに設けられた背負型後方噴射推進倍増装置２を連結してあることで、前後バランスがよいパワースーツとなり、プロペラがなくとも安全且つ強力な空気噴射推進力を得られる構成とした。
【０００９】
また、本願請求項2番目の発明では、上記背負型後方噴射推進倍増装置２を梯子形のパイプ組み合わせ構成となし、これに翼３をつけて効率をよくし、運搬し易く、立てかけ易いデザインとなした。
【００１０】
また、本願請求項3番目の発明では、上記背負型後方噴射推進倍増装置をHの字型の２本縦太パイプと横細パイプとの組み合わせよりなる構成し、これに翼３を設けてなる構成とした。
【００１１】
また、本願請求項4番目の発明では、上記背負型後方噴射推進倍増装置２をVの字型の２本縦太パイプと横細パイプとの組み合わせよりなり翼３を設けてなる構成とした。
【００１２】
また、本願請求項5番目の発明では、上記背負型後方噴射推進倍増装置をCの字型とし、２本のC形状縦太パイプとこれを繋ぐ横細パイプとの組み合わせの構成となし、これに翼３を設けてなる構成とした。
【００１３】
また、本願請求項６番目の発明では、上記背負型後方噴射推進倍増装置を、∞形状となし、これに翼３を設けてなる構成にしてある。
【００１４】
更に、本願請求項７番目の発明では、上記背負型後方噴射推進倍増装置を、リングホース翼３としてなる構成にしてある。
【００１５】
また本願請求項８番目の発明では、上記背負型後方噴射推進倍増装置を、半球ボール型とし、この半球ボール部に外方に向けて噴射孔と翼３が設けられてなる構成となされている。
【００１６】
また本願請求項９番目の発明では、上記背負型後方噴射推進倍増装置の上部に前方に向けてヘルメット９を取り付けた構成となしてある。
【発明の効果】
【００１７】
上記第１の課題解決手段による作用効果は次の通りである。
本願第1番目の身体装着型後方噴射パワースーツでは、スーツ前に設けられた抱持原動機ブロア１の吹出口にスーツ後ろに設けられた背負式後方噴射推進倍増装置２が接合されているから、身体の前と後ろにバランスよく重さが分散され、パワースーツの着心地が良く、長時間着ていても疲れない利点がある。
【００１８】
更に、本発明第2番目の発明では、上記背負式後方噴射推進倍増装置２が、梯子形となされ、縦パイプと横パイプとの組み合わせで構成され、これに翼３を設けているから、二宮金次郎スタイルで歩き、ローラースケートを履いて楽に長時間走行することができる。
【００１９】
また、本発明第３番目の発明では、上記背負型後方噴射推進倍増装置２が、H の字形状の縦太パイプと横細パイプにより構成し縦太パイプには噴射孔と翼３が設けられているから高効率噴射推進ができる。
【００２０】
更に、本発明第４番目の発明では、上記背負式後方噴射推進倍増装置２が、Vの字形状となされ、２本の縦太パイプと横細パイプと組み合わせて構成され、これに翼３が設けられているから、ローラースケートを履いて高速で走っても安定性が良く、左右のバランスがとり易く、転倒しにくい利点がある。    
【００２１】
本発明第５番目の発明では、上記背負式後方噴射推進倍増装置が、横から見てCの字形状となされ、２本の縦太パイプと横細パイプの組み合わせで構成され、これに翼３が設けられているから、高速移動時でのバランス走行性能及び悪路での走行性能が優れている。
【００２２】
本発明第６番目の発明では、上記背負型後方噴射推進倍増装置２が、∞形状となされ、フレキシブルパイプで湾曲構成され翼３が形成されているから、蝶や蜂のようなデザインとなり、安全で取り扱い易く、愛らしい概観で親しみ易い利点がある。
【００２３】
本発明第７番目の発明では、上記背負い式後方噴射推進倍増装置２が、リングホース翼形状となされ、該リングホース翼３に前方に向けて噴射孔２６が設けられているから、高速走行時の流線抵抗が少なく、渦が発生しないので効率よく走れる。
【００２４】
本発明８番目の発明では、上記背負型後方噴射推進倍増装置２が、半球ボール形状となされ、該半球ボールに外方に向けて噴射孔と翼３が設けられているから、高速走行時の流線抵抗が少なく、渦が発生しないので効率よく疾走できる。
【００２５】
本発明９番目の発明では、上記背負型後方噴射推進倍増装置２が中空プラスチック人形となされ、その上部に前方に向けてヘルメット９が設けられているから、パワースーツを着た人の頭を固定させることができ、また、転倒した際に頭部を守ることができる。
【図面の簡単な説明】
【００２６】
【図１】(a)本発明身体装着型噴射推進パワースーツの第１実施例を示す後方斜視図、(b)その上から見た平面図
【図２】(a)本発明身体装着型噴射推進パワースーツの第２実施例を示す斜視図(b)その後ろから見た背面図
【図３】(a)本発明身体装着型噴射推進パワースーツの第３実施例を示す側面図,(b)その背面図
【図４】(a)本発明身体装着型噴射推進パワースーツの第４実施例を示す背面図(b)その側面図
【図５】(a)本発明身体装着型噴射推進パワースーツの第５実施例を示す背面図      (b)その側面図
【図６】(a)本発明身体装着型噴射推進パワースーツの第６実施例を示す側面図(b)その背面図
【図７】本発明身体装着型噴射推進パワースーツの第７実施例を示す側面図
【発明を実施するための形態】
【００２７】
以下、本発明の実施の形態について、詳細に説明する
【実施例１】
【００２８】
本発明身体装着型噴射推進パワースーツの一例を第１図（a）（b）に示す。
スーツ前に設けられた抱持原動機ブロア１の吹出口１４・１５が、離脱接合可能に、背負型後方噴射推進倍増装置２の吹込口２０に接続部１６及び蛇腹１７を介して接合されており、原動機１０により駆動されたブロア１２からの圧力空気がスーツ後ろに設けられた背負型後方噴射推進倍増装置２に送り込まれうるように構成されている。
スーツは救命胴衣のような肩掛けチョッキ形状をしており、脱着自在で横開きできるようになされている。
【００２９】
図１の原動機ブロア１は、マキタEUB4760ガソリン４ストローク７６ｃｃエンジンブロア（風量１４&#13221;/min、風力８７M/sec,重量10.2Kg）を使用している。
背負型後方噴射推進倍増装置２は、Hの字形状となされ、２本の塩化ビニール縦太パイプ２１とこれを繋ぎ連通する横細パイプ２２がHの字に形成されている。縦太パイプ２１の上端と下端には蓋栓２５・２５が設けられている。
【００３０】
平行に配設された２本の縦太パイプ２１を繋ぐ横細パイプ２２は構造材であると共に両者を連通する空気通路であって、横細パイプ２２を介して縦太パイプ２１に設けられた多数の列を成した噴出孔２７・２８から空気を噴出させ、翼３により後方に流れを変え、周囲の空気を巻き込んで推進力を増すようになされている。
【００３１】
片方の縦太パイプ２１には、原動機ブロア１の吹出口１５から接続管１６を介して蛇腹部１７からの圧力空気が吹き込み口２０に送り込まれる構造であり、圧力空気はすべてのパイプに入り込み噴出孔２７・28と翼３から後方に噴出される仕組みである。パイプの上端と下端とには栓２５が設けられて、空気が流れ出ないようになされている。
【００３２】
このような構造の身体装着型後方噴射推進パワースーツでは、ローラースケートを履いたテストパイロットが、これを着て、スーツ前に抱持原動機ブロア１、スーツ後ろに背負型噴出推進装置２を装着し、空気を前から吸い込み、後方へ効率よく噴出し、周りの空気を大量に巻き込んで噴射孔２７・２８から流出させ、翼３の湾曲面により後方へ噴出する空気の何倍もの空気を後方へ送り出すこととなり、その反動で前進移動するのである。
【実施例２】
【００３３】
本発明身体装着型後方噴射推進パワースーツの２番目の実施例を図２に示す。
このものでは、スーツ前の抱持原動機ブロウ１の吹出口１４に繋がるのが、スーツ後ろのVの字形状の背負型後方噴射推進倍増装置であって、縦太パイプ２１の上方は広がって、縦太パイプ２１の下方は狭まって配設されている。横細パイプ２２が連通管の役割をし、圧力を均等にしている点は前記実施例と同じである。
Vの字型にしたことにより、左右のバランスがよくなり、安定走行に寄与する。
翼３の効果その他の点は前記第１実施例と同様である。
【実施例３】
【００３４】
本発明身体装着型後方噴射推進パワースーツの3番目の実施例を図３に示す。
このものは背負型後方噴射推進倍増装置２が、横から見てCの字に形成され、２本の縦太パイプ２１・２１が並んで背中から頭上に掛けて設けられており、鹿の角のように2本の縦太パイプ２１が前方にせり出している。細パイプ２５が構造材兼連通管である点は前記実施例と同じである。翼３の効果その他の点は前記第1実施例と同様である。
【実施例４】
【００３５】
本発明身体装着後方噴射推進パワースーツの第４実施例を図４に示す。
このものは、背負型後方噴射推進倍増装置２が、蝶のような∞形状のデザイン例を示す。
スーツ後ろの取付板4に×型接続パイプとパイプ吹込口２０が設けられ、ぺチャンコホース型の中帯板２４と外帯板30とに挟まれて翼２９形状となされ、前方のホース噴射孔２６から噴出した圧縮空気溜め３３にたまり、翼29の凸面に沿って高速ジェット流となり翼上面の空気を巻き込んで大風量の後方流を作るような構成になされている。
【００３６】
このものでは、原動機ブロア１が、ロビン４サイクルガソリンエンジン駆動ブロアであって、７６ｃｃ、最大風量１４．９M&sup3;/min最大風力８７M/sec の出力性能を持つ物を採用した。
本実施例のものは、ブロアもエンジンも噴射推進倍増装置も騒音が少なく、安全に噴射推進で移動することができる。
【実施例５】
【００３７】
本発明身体装着型後方噴射推進パワースーツの第５実施例を図5に示す。
このものは、パワースーツの後ろに設けられた背負型後方噴射推進倍増装置が、リングホース翼形状の物を示す。
パワースーツの前に設けられた原動機ブロア１からの高圧空気は吹出口１４・１５から吹込口２０に入り、パワースーツの後ろに設けられたリングホース翼３形状の背負型後方噴射推進倍増装置２のぺちゃんこホース29内に圧入され、多数の環状配置の噴出孔２６から前方に吹き出され、空気溜３３からぺちゃんこホース２９の凸面上にジェット噴出して翼面効果でリング内側の大量の空気を後方に押しやって、数倍から十数倍の推進力を得ることができるようになされている。
【００３８】
ぺちゃんこホース２９は内側に帯板２４を封入し、これをリング板３０に押し付けて流線形翼型を作る。翼型ぺちゃんこホース２９の凸面にジェット噴流を吹き付け、なだらかな伴流を作ってリングホース翼３の内側の空気をすべて後方へ押しやって強力な推進力を生ませる。（F=ｍaのｍを数倍〜十数倍大きくして推進力を増している。）
【実施例６】
【００３９】
本発明身体装着型後方噴射パワースーツの第６実施例を図６に示す。
このものは、背負型後方噴射推進倍増装置２が半球ボール形状であって、ランドセルのように背負式背板４に半球ボール５が押し付けられ、結束バンド５６・５８を巻きつけることにより半球ボール形状に保持されている。また、半球ボール形状の外周後方に多数の環状列噴射孔５２と５４とが設けられ、この噴射孔５２と噴射孔５４の間にリング翼３が設けられ、噴射孔から出た空気が湾曲した翼３の面に沿って後方と流され、半球ボール後方に強力なドーナツ型空気流と作る。    
噴射孔５２と５４から外方に向けて出た流れが翼３の力で後方への向き、この際、噴出孔の周りの翼上面空気を巻き込んで多量の空気を後方にゆっくり押し出すようになされている。
【実施例７】
【００４０】
本発明身体装着型後方噴射推進パワースーツの第７実施例を図７に示す。
このものは、背負型後方噴射推進倍増装置２の上部にヘルメット９が設けられた物を示し、図７に示した如く、原動機ブロア１からの圧力空気がブロア吹き出し口１４・１５から脱着接続パイプ１６、蛇腹パイプ１７を通って吹き込み口２０に入り、中空プラスチック人形の背負型噴射推進倍増装置２に送り込まれる。
これには天使の羽のような翼３が設けられており、多数の噴射孔５２・５４から噴出した空気をこの翼３により流れを変え、後方に向けて送り出してその反動で推進力を生み出させる。キューピーなど中空プラスチックからなる背負型後方噴射推進倍増装置２に背板４が設けられており、その上部にヒンジ９０を介して回転可能なヘルメット９が設けられている。図７では、走る座布団（特許4178198）に座った子供が本身体装着型後方噴射推進パワースーツを着てヘルメット９を被ることで、頭を保護しつつ安全に走行することが出来る。
【産業上の利用可能性】
【００４１】
本発明身体装着型後方噴射推進パワースーツでは、ローラースケートや自転車などの移動手段補助として有効である。また、足こぎボートやスキー、スケートの動力アシストあるいはブースターとして、有用である。
また、歩行やランニングや登山を助け、パラセールでの飛行を助けることもできる。
【符号の説明】
【００４２】
１は抱持ち原動機ブロア
２は背負型後方噴射推進倍増装置
３は翼
１４・１５はブロア吹出口
１６は脱着接続パイプ
１７は蛇腹パイプ
２０は吹き込み口
２１は縦太パイプ
２２は横細パイプ
２５は栓
２６・２７・２８は噴射孔
２９はぺちゃんこホース
４は背板
５は半球ボール
９はヘルメット
【図１】
2011225137.tif 000003
【図２】
2011225137.tif 000004
【図３】
2011225137.tif 000005
【図４】
2011225137.tif 000006
【図５】
2011225137.tif 000007
【図６】
2011225137.tif 000008
【図７】
2011225137.tif 000009